(57)【要約】【課題】  片手でより容易に勾配座金とボルトとを供回りさせずに保持することの可能な勾配座金供回り防止具及びこれを用いたチャンネル材への勾配座金及びボルトの取付方法を提供すること。【解決手段】勾配座金６０とこれを貫通するボルト５０又はナット７０とをヘッド１０で同時に保持し、勾配座金６０がボルト５０の締め付けに追従して回転することを防止する。ヘッド１０，２０を一対設け、各ヘッド１０，２０は勾配座金６０及びボルト頭部５１又はナット７０に嵌合する回転防止部を備え、対向し合う各ボルト頭部５１又はナット７０にヘッド１０，２０を対応させてヘッド１０，２０を連結部材３０で連結し、ヘッド１０，２０にボルト５０の軸に交差する方向に延び被固定部材に当接する当接部４０を設けてある。【選択図】    図１
2019035469.tif 000002
【特許請求の範囲】
【請求項１】
勾配座金とこの勾配座金を貫通するボルト又はナットとをヘッドで同時に保持し、勾配座金がボルトの締め付けに追従して回転することを防止する勾配座金供回り防止具であって、
前記ヘッドを一対設け、各ヘッドは勾配座金の側面及びボルト頭部又はナットに嵌合する回転防止部を備え、一対のボルトがチャンネル材の各フランジ等の被固定部材を貫通した姿勢の対向し合う前記各ボルト頭部又は前記ナットに前記各ヘッドを対応させてこれら両ヘッドを連結部材で連結し、これらヘッドの少なくともいずれかに前記ボルトの軸に交差する方向に延び前記被固定部材に当接する当接部を設けてある勾配座金供回り防止具。
【請求項２】
前記当接部が前記両ヘッドに設けられている請求項１記載の勾配座金供回り防止具。
【請求項３】
前記各ヘッドが異なる呼び径のボルトに対応している請求項１または２記載の勾配座金供回り防止具。
【請求項４】
勾配座金とこの勾配座金を貫通するボルト又はナットとをヘッドで同時に保持し、勾配座金がボルトの締め付けに追従して回転することを防止する勾配座金供回り防止具を用いたチャンネル材への勾配座金及びボルトの取付方法であって、
前記勾配座金供回り防止具は、前記ヘッドを一対有し、各ヘッドは勾配座金の側面及びボルト頭部又はナットに嵌合する回転防止部を備え、一対のボルトがチャンネル材の各フランジを貫通した姿勢の前記各ボルト頭部又は前記ナットに前記各ヘッドを対応させてこれら両ヘッドを連結部材で連結し、これらヘッドの少なくともいずれかに前記ボルトの軸に交差する方向に延び前記被固定部材に当接する当接部を設けたものであり、
前記各フランジに貫通させ、前記ボルトの対向し合う前記各ボルト頭部又は前記各ナット及び各勾配座金に前記各ヘッドを嵌合させ、前記当接部を前記フランジの端面に当接させた状態で勾配座金供回り防止具をチャンネル材のウエブ側に押圧し、前記各ボルトの先端に螺合されたナットを締め付けるチャンネル材への勾配座金及びボルトの取付方法。
【発明の詳細な説明】
【技術分野】
【０００１】
本発明は、勾配座金供回り防止具及びチャンネル材への勾配座金及びボルトの取付方法に関する。さらに詳しくは、勾配座金とこの勾配座金を貫通するボルトとをヘッドで同時に保持し、勾配座金がボルトの締め付けに追従して回転することを防止する勾配座金供回り防止具及びこれを用いたチャンネル材への勾配座金及びボルトの取付方法に関する。
【背景技術】
【０００２】
上述の如き供回り防止具としては、次の特許文献１に記載のごときものが知られている。同文献によれば、勾配座金とボルトとの同時締結が困難であることから、これらに勾配座金及びボルト頭部の双方に個別に嵌合する受け部を設けている。
【０００３】
しかし、同文献の技術によれば、単独のボルトに対するスパナとして構成されているため、このスパナの姿勢を維持した状態で手で保持し、他のスパナでナットを操作しなければならない。作業環境が高所等である場合は、さらなる作業労力の軽減が期待されていた。
【先行技術文献】
【特許文献】
【０００４】
【特許文献１】特開２００３−１９１１７１号公報
【発明の概要】
【発明が解決しようとする課題】
【０００５】
かかる従来の実情に鑑みて、本発明は、片手でより容易に勾配座金とボルトとを供回りさせずに保持することの可能な勾配座金供回り防止具及びこれを用いたチャンネル材への勾配座金及びボルトの取付方法を提供することを目的とする。
【課題を解決するための手段】
【０００６】
上記目的を達成するため、本発明に係る勾配座金供回り防止具の特徴は、勾配座金とこの勾配座金を貫通するボルト又はナットとをヘッドで同時に保持し、勾配座金がボルトの締め付けに追従して回転することを防止する構成において、前記ヘッドを一対設け、各ヘッドは勾配座金の側面及びボルト頭部又はナットに嵌合する回転防止部を備え、一対のボルトがチャンネル材の各フランジ等の被固定部材を貫通した姿勢の対向し合う前記各ボルト頭部又は前記ナットに前記各ヘッドを対応させてこれら両ヘッドを連結部材で連結し、これらヘッドの少なくともいずれかに前記ボルトの軸に交差する方向に延び前記被固定部材に当接する当接部を設けたことにある。
【０００７】
同特徴によれば、一対のヘッドに設けられた回転防止部で、勾配座金がボルトと供回りしてフランジの傾斜に対して勾配座金の傾斜がずれるのを防止する。両方のボルトに嵌合して、ナットを締め上げても、当接部が当勾配座金供回り防止具の回転を阻止する。当勾配座金供回り防止具を片手で押さえるだけで、他のスパナで外側からナットを締め上げると締結できるので、作業が極めて行いやすい。
【０００８】
上記特徴において、前記当接部が前記両ヘッドのうち一方だけでもよいが、両方に設けられていてもよい。前記当接部を前記両ヘッドの双方に設けることで、ナットに発生するトルクにより有効に対処でき、当勾配座金供回り防止具のチャンネル材に対する姿勢もより安定する。
【０００９】
上記特徴において、前記各ヘッドが異なる呼び径のボルトに対応するとよい。
【００１０】
一方、上記勾配座金供回り防止具を用いたチャンネル材への勾配座金及びボルトの取付方法の特徴は、勾配座金とこの勾配座金を貫通するボルト又はナットとをヘッドで同時に保持し、勾配座金がボルトの締め付けに追従して回転することを防止する方法において、前記勾配座金供回り防止具は、前記ヘッドを一対有し、各ヘッドは勾配座金の側面及びボルト頭部又はナットに嵌合する回転防止部を備え、一対のボルトがチャンネル材の各フランジを貫通した姿勢の前記各ボルト頭部又は前記ナットに前記各ヘッドを対応させてこれら両ヘッドを連結部材で連結し、これらヘッドの少なくともいずれかに前記ボルトの軸に交差する方向に延び前記被固定部材に当接する当接部を設けたものであり、前記各フランジに貫通させ、前記ボルトの対向し合う前記各ボルト頭部又は前記各ナット及び各勾配座金に前記各ヘッドを嵌合させ、前記当接部を前記フランジの端面に当接させた状態で勾配座金供回り防止具をチャンネル材のウエブ側に押圧し、前記各ボルトの先端に螺合されたナット又は前記各ボルト頭部を締め付けることにある。
【発明の効果】
【００１１】
上記本発明に係る勾配座金供回り防止具及びこれを用いたチャンネル材への勾配座金及びボルトの取付方法の特徴によれば、片手でより容易に勾配座金とボルトとを供回りさせずに保持することが可能となった。
【００１２】
本発明の他の目的、構成及び効果については、以下の発明の実施の形態の項から明らかになるであろう。
【図面の簡単な説明】
【００１３】
【図１】本発明にかかる勾配座金供回り防止具を用いた施工方法を示す斜視図である。
【図２】チャンネル材が組み付けられる状態を記載した斜視図である。
【図３】図２の状態の縦断面図である。
【図４】図３のＡ−Ａ断面図である。
【図５】図３のＢ−Ｂ断面図である。
【図６】本発明に係る勾配座金供回り防止具を示す図であり、（ａ）は正面図、（ｂ）は左側面図、（ｃ）は右側面図、（ｄ）は平面図、（ｅ）は底面図であり、背面図は正面図と対称であるため省略する。
【図７】本発明に係る勾配座金供回り防止具の斜視図である。
【図８】本発明に係る勾配座金供回り防止具の縦断面図である。
【図９】本発明に係る勾配座金供回り防止具を用いた異なるナット配置の施工例を示す図３相当図である。
【発明を実施するための形態】
【００１４】
次に、適宜図１〜９を参照しながら、本発明に係る勾配座金供回り防止具１をさらに詳しく説明する。
【００１５】
本発明に係る勾配座金供回り防止具１は、図１〜４に示すように、縦チャンネル材１００ａの一対のフランジ１０２に対し、横チャンネル材１００ｂを２本それぞれボルト５０、勾配座金６０及びナット７０を利用して固定しようとするものである。
【００１６】
被固定部材であるチャンネル材１００は、一対のフランジ１０２が先端に向かうに従って薄くなるように形成され、その結果、フランジ１０２の内側にはテーパーが付与されている。このテーパーでボルト５０又はナット７０が傾いて接触するため、このテーパー分だけ勾配の付与された勾配座金６０が用いられている。本実施例におけるボルト５０、勾配座金６０及びナット７０は、両フランジ１０２に対し呼び径の異なるものが固定される。第一ボルト５０ａ、第一勾配座金６０ａ、第一ナット７０ａが呼び径の大きいもの、第二ボルト５０ｂ、第二勾配座金６０ｂ、第二ナット７０ｂが呼び径の小さいものである。両フランジ１０２、１０２の貫通孔１０３，１０３はフランジにおける同じ位置に形成されている。なお、貫通孔１０３の中心からフランジ１０２端部までの最短距離と、後述の第一内回転防止部１１の中心から当接部４０のフランジ１０２端部と接する面までの最短距離が略同一となるように第一内回転防止部１１が形成されている。なお、第二内回転防止部２１の中心から当接部４０のフランジ１０２端部と接する面までの最短距離も、同様である。
【００１７】
勾配座金供回り防止具１は、図１〜９に示すように、一対のヘッド１０，２０と、これらヘッド１０，２０を連結する連結部材３０と、これらヘッド１０，２０に設けられ、ボルト５０の軸Ｌ１，Ｌ２に交差する方向Ｍに延びチャンネル材１００に当接する当接部４０とを設けてある。第一ヘッド１０は、呼び径の大きな第一ボルト５０ａ又は第一ナット７０ａに嵌合する第一内回転防止部１１と、第一勾配座金６０ａに嵌合する第一外回転防止部１２とを備えている。一方、第二ヘッド２０は、呼び径の小さな第二ボルト５０ｂ又は第二ナット７０ｂに嵌合する第二内回転防止部２１と、第二勾配座金６０ｂに嵌合する第二外回転防止部２２を備えている。
【００１８】
当接部４０は、ボルト５０の軸Ｌ１，Ｌ２と平行に長手方向を配置した連結部材３０に直交して交差する方向Ｍに延ばして、チャンネル材１００のフランジ１０２の端縁に当接するように設けてある。本実施形態において当接部４０は、その裏面のほぼ全面がフランジ１０２の端縁に当接しており、安定的である。但し、この当接部４０は、ボルト５０に発生するトルクに耐えることが目的であるため、より回転モーメントの大きな先端部のみでフランジ１０２に当接するように構成してもよい。また、当接部４０は、第一、第二ヘッド１０，２０のうち一方側だけに設けるようにしてもよい。
【００１９】
使用に際しては、図１〜５に示すように、縦チャンネル材１００ａにおけるフランジ１０２の貫通孔１０３及び横チャンネル材１００ｂにおけるウエブ１０１の貫通孔１０４にそれぞれボルト５０を貫通させる。各ボルト５０はボルト頭部５１をフランジ１０２内側とし、勾配座金６０を通してから、各貫通孔１０３，１０４を通し、ナット７０を手締めする。
【００２０】
勾配座金６０とボルト頭部５１の方向を合わせてから、各回転防止部１１，１２，２１，２２を、各勾配座金６０ａ，６０ｂ、各ボルト５０ａ，５０ｂに嵌合させるように勾配座金供回り防止具１を縦チャンネル材１００ａのフランジ１０２内に近接させる。一方の手で各当接部４０をフランジ１０２に当接させた状態で、他方の手でスパナ２００を操作して、ナット７０を締め付け、横チャンネル材１００ｂの固定が完了する。
【００２１】
第一ボルト５０ａ、第二ボルト５０ｂを同時に仮止めして、上記固定操作を行っても良いが、第一ボルト５０ａ、第二ボルト５０ｂを個別に仮止めして、一本ずつ上記固定操作を行っても良い。
【００２２】
また、上記とは異なり、図９に示すように、各ボルト５０のねじ部５１とナット７０とを縦チャンネル材１００ａのフランジ１０２内側に位置させて、上記固定操作を行っても良い。この場合、ナット７０を第一、第二内回転防止部１１，２１に嵌合させ、スパナ２００で各ボルト５０のボルト頭部５１を操作することとなる。
【００２３】
なお、縦チャンネル材１００ａに固定される部材は、横チャンネル材１００ｂに限らず、アングル材や、計器などが保管されている鋼製の箱等でも良い。また、勾配座金６０を必要とする部材であれば、縦チャンネル材１００ａの替わりに被固定部材として用いても良い。また、上記実施形態では、各ヘッド１０，２０は呼び径が異なるボルト５０ａ，５０ｂに対応したが、両ヘッド１０，２０が同じ呼び径のボルト５０に対応しても良い。
【産業上の利用可能性】
【００２４】
本発明は、例えば電話の基地局やアンテナの工事等、高所でのナットを利用した固定作業用の道具として利用することができる。
【符号の説明】
【００２５】
１：勾配座金供回り防止具、１０，２０：ヘッド、１０：第一ヘッド、２０：第二ヘッド、１１，１２，２１，２２：回転防止部、１１：第一内回転防止部、１２：第一外回転防止部、２１：第二内回転防止部、２２：第二外回転防止部、３０：連結部材、４０：当接部、５０：ボルト、５０，５１：ボルト頭部、５２：ねじ部、６０：勾配座金、７０：ナット、５０ａ：第一ボルト、６０ａ：第一勾配座金、７０ａ：第一ナット、５０ｂ：第二ボルト、６０ｂ：第二勾配座金、７０ｂ：第二ナット、１００：チャンネル材（被固定部材）、１０１：ウエブ、１０２：フランジ、１０３，１０４：貫通孔、１００ａ：縦チャンネル材、１００ｂ：横チャンネル材、２００：スパナ、Ｌ１，Ｌ２：ボルトの軸、Ｍ：交差する方向
【図１】
2019035469.tif 000003
【図２】
2019035469.tif 000004
【図３】
2019035469.tif 000005
【図４】
2019035469.tif 000006
【図５】
2019035469.tif 000007
【図６】
2019035469.tif 000008
【図７】
2019035469.tif 000009
【図８】
2019035469.tif 000010
【図９】
2019035469.tif 000011
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
勾配座金とこの勾配座金を貫通するボルト又はナットとをヘッドで同時に保持し、勾配座金がボルトの締め付けに追従して回転することを防止する勾配座金供回り防止具であって、
前記ヘッドを一対設け、各ヘッドは勾配座金の側面及びボルト頭部又はナットに嵌合する回転防止部を備え、一対のボルトがこれらのボルトの軸方向に隔てられ且つチャンネル材の各フランジ等の被固定部材を貫通した姿勢の対向し合う前記各ボルト頭部又は前記ナットに前記各ヘッドを対応させてこれら両ヘッドを連結部材で連結し、これらヘッドの少なくともいずれかに前記ボルトの軸に交差する方向に延び前記被固定部材に当接する当接部を設けてある勾配座金供回り防止具。
【請求項２】
前記当接部が前記両ヘッドに設けられている請求項１記載の勾配座金供回り防止具。
【請求項３】
前記各ヘッドが異なる呼び径のボルトに対応している請求項１または２記載の勾配座金供回り防止具。
【請求項４】
勾配座金とこの勾配座金を貫通するボルト又はナットとをヘッドで同時に保持し、勾配座金がボルトの締め付けに追従して回転することを防止する勾配座金供回り防止具を用いたチャンネル材への勾配座金及びボルトの取付方法であって、
前記勾配座金供回り防止具は、前記ヘッドを一対有し、各ヘッドは勾配座金の側面及びボルト頭部又はナットに嵌合する回転防止部を備え、一対のボルトがこれらのボルトの軸方向に隔てられ且つチャンネル材の各フランジを貫通した姿勢の前記各ボルト頭部又は前記ナットに前記各ヘッドを対応させてこれら両ヘッドを連結部材で連結し、これらヘッドの少なくともいずれかに前記ボルトの軸に交差する方向に延び前記被固定部材に当接する当接部を設けたものであり、
前記各フランジに貫通させ、前記ボルトの軸方向に隔てられ且つ対向し合う前記各ボルト頭部又は前記各ナット及び各勾配座金に前記各ヘッドを嵌合させ、前記当接部を前記フランジの端面に当接させた状態で勾配座金供回り防止具をチャンネル材のウエブ側に押圧し、前記各ボルトの先端に螺合されたナットを締め付けるチャンネル材への勾配座金及びボルトの取付方法。
【手続補正２】
【補正対象書類名】明細書
【補正対象項目名】０００６
【補正方法】変更
【補正の内容】
【０００６】
上記目的を達成するため、本発明に係る勾配座金供回り防止具の特徴は、勾配座金とこの勾配座金を貫通するボルト又はナットとをヘッドで同時に保持し、勾配座金がボルトの締め付けに追従して回転することを防止する構成において、前記ヘッドを一対設け、各ヘッドは勾配座金の側面及びボルト頭部又はナットに嵌合する回転防止部を備え、一対のボルトがこれらのボルトの軸方向に隔てられ且つチャンネル材の各フランジ等の被固定部材を貫通した姿勢の対向し合う前記各ボルト頭部又は前記ナットに前記各ヘッドを対応させてこれら両ヘッドを連結部材で連結し、これらヘッドの少なくともいずれかに前記ボルトの軸に交差する方向に延び前記被固定部材に当接する当接部を設けたことにある。
【手続補正３】
【補正対象書類名】明細書
【補正対象項目名】００１０
【補正方法】変更
【補正の内容】
【００１０】
一方、上記勾配座金供回り防止具を用いたチャンネル材への勾配座金及びボルトの取付方法の特徴は、勾配座金とこの勾配座金を貫通するボルト又はナットとをヘッドで同時に保持し、勾配座金がボルトの締め付けに追従して回転することを防止する方法において、前記勾配座金供回り防止具は、前記ヘッドを一対有し、各ヘッドは勾配座金の側面及びボルト頭部又はナットに嵌合する回転防止部を備え、一対のボルトがこれらのボルトの軸方向に隔てられ且つチャンネル材の各フランジを貫通した姿勢の前記各ボルト頭部又は前記ナットに前記各ヘッドを対応させてこれら両ヘッドを連結部材で連結し、これらヘッドの少なくともいずれかに前記ボルトの軸に交差する方向に延び前記被固定部材に当接する当接部を設けたものであり、前記各フランジに貫通させ、前記ボルトの軸方向に隔てられ且つ対向し合う前記各ボルト頭部又は前記各ナット及び各勾配座金に前記各ヘッドを嵌合させ、前記当接部を前記フランジの端面に当接させた状態で勾配座金供回り防止具をチャンネル材のウエブ側に押圧し、前記各ボルトの先端に螺合されたナット又は前記各ボルト頭部を締め付けることにある。